(57)【要約】【課題】与薬作業者の労力を軽減しつつ、それぞれの与薬対象者の薬の種類や量や飲む時間帯などを間違えないようにし、かつ、薬が切れてしまわないようにした与薬管理方法及び与薬管理具を提供する。【解決手段】各与薬対象者毎に、少なくとも２つの管理ケース１１Ａ、１１Ｂを用意し、各管理ケース１１Ａ、１１Ｂには、１日のうちの与薬時間帯に分けて、分包化された薬３１を所定日数分収容する区画１６ａ〜１６ｂを設け、現在与薬をしている薬を収容した前記管理ケースを第１管理ケース１１Ａとし、該第１管理ケースの薬を使い切った後に使用する薬が収容された管理ケースを第２管理ケース１１Ｂとしたとき、前記第１管理ケース１１Ａにおける残りの薬の日数が、全ての与薬対象者において共通となるようにし、かつ、前記第１管理ケースの薬を使い切る時点で、前記第２管理ケースには、全ての与薬対象者において、所定日数分の薬が満杯状態で収容されているようにする。【選択図】図１
2018019796.tif 000002
【特許請求の範囲】
【請求項１】
複数の与薬対象者を管理する施設における与薬管理方法において、
各与薬対象者毎に、少なくとも２つずつの管理ケースを用意し、
各管理ケースには、１日のうちの与薬時間帯に分けて、分包化された薬を所定日数分収容する区画を設け、
現在与薬をしている薬を収容した前記管理ケースを第１管理ケースとし、該第１管理ケースの薬を使い切った後に使用する薬が収容された管理ケースを第２管理ケースとしたとき、
前記第１管理ケースにおける残りの薬の日数が、全ての与薬対象者において共通となるようにし、かつ、
前記第１管理ケースの薬を使い切る時点で、前記第２管理ケースには、全ての与薬対象者において、所定日数分の薬が満杯状態で収容されているように、薬のストックを管理することを特徴とする与薬管理方法。
【請求項２】
前記管理ケースは、外面に与薬対象者の名前が付された容器本体と、該容器本体内を複数の区画に分けるための移動可能な仕切りとを備え、前記容器本体内には、前記仕切りによって、１日のうちの与薬時間帯毎に分かれた区画が設けられており、前記各区画にはその時間帯に与薬すべき前記所定日数分の分包化された薬が収容されるように構成され、前記仕切りにはその区画に収容される薬の与薬時間帯を表す表示が付されるとともに、前記分包化された薬の包装には、前記与薬時間帯によって分けられた目印が設けられている、請求項１記載の与薬管理方法。
【請求項３】
与薬対象者が与えられた薬をこぼしたり、落としたりして紛失した際には、前記第１管理ケースから同じ薬を取り出して与え、それによって前記第１管理ケース内で不足した薬は、前記第１管理ケース内の該当する薬がなくなる前に前記第２管理ケースに収容された薬以外から補充するように管理する、請求項１又は２記載の与薬管理方法。
【請求項４】
複数の与薬対象者を管理する施設における与薬管理具において、
各与薬対象者毎に用意される少なくとも２つずつの管理ケースを備え、
前記管理ケースは、現在与薬をしている薬が収容される第１管理ケースと、該第１管理ケースの薬を使い切った後に使用する薬が収容される第２管理ケースとを含み、
前記各管理ケースは、外面に与薬対象者の名前が付された容器本体と、該容器本体内を複数の区画に分けるための移動可能な仕切りとを有し、
前記容器本体内には、前記仕切りによって、１日のうちの与薬時間帯毎に分かれた区画が設けられており、前記各区画にはその時間帯に与薬すべき所定日数分の分包化された薬が収容されるように構成され、
前記仕切りにはその区画に収容される薬の与薬時間帯を表す表示が付されるとともに、前記分包化された薬の包装には、前記与薬時間帯によって分けられた目印が設けられることを特徴とする与薬管理具。
【請求項５】
前記薬の与薬時間帯を表す表示が付された仕切りの間に、該仕切りによって分けられた区画に収容する薬が倒れるのを防止する中間仕切りが、移動可能に設けられている、請求項４記載の与薬管理具。
【請求項６】
前記容器本体は、枠体と、該枠体に引き出し可能に収容されたトレイ容器とを有し、前記トレイ容器の対向する一対の内側壁には、前記仕切りを差し込む溝が引き出し方向に向けて所定間隔で形成されている、請求項４又は５記載の与薬管理具。
【発明の詳細な説明】
【技術分野】
【０００１】
本発明は、例えば介護施設などの、複数の与薬対象者を管理する施設における与薬管理方法及び与薬管理具に関する。
【背景技術】
【０００２】
例えば介護施設などにおいては、要介護者への薬剤の投与が正確にかつ確実に行われることが要求されている。薬の種類や投与時間帯などは、要介護者毎に異なっており、介護施設のスタッフは、個々の要介護者毎に薬の管理をしなければならなかった。
【０００３】
しかしながら、介護施設のスタッフ一人につき数人あるいは十数人の要介護者を担当している現状においては、それぞれの要介護者の薬の種類や量や飲む時間帯などを間違えないように与薬し、薬が切れてしまわないように薬の残量を管理することは、とても大変なことであった。
【０００４】
このような問題を解決するため、下記特許文献１には、介護施設入居者への薬剤供給システムであり、 所定の薬剤を前記介護施設入居者に継続的に供給する薬剤供給者と、当該薬剤供給者から供給された薬剤を受けとる介護施設スタッフと、該介護施設スタッフから前記薬剤を受け取り、継続的に薬剤の投与を受ける介護施設入居者とを有し、前記薬剤供給者は、前記介護施設入居者個々に対する介護施設用薬剤箱を複数個用意してなり、 該介護施設用薬剤箱は、袋入り薬剤を収納する薬剤収納ケースと、該薬剤収納ケースを内部にスライドさせて収める薬剤箱本体枠とを備え、前記薬剤収納ケースは、略方形状をなし、該収納ケース内を複数の空間に仕切る仕切り板と、該仕切り板により仕切られた縦方向に長い空間となる薬剤収納スペースと、該縦方向に長い薬剤収納スペースを縦方向に向かい複数の区切りスペースに区切り可能とされた脱着自在の区切り板と、を有し、前記複数の区切りスペースは、縦方向に縮小、拡大自在に形成でき、前記薬剤箱本体枠は、上面に設けられた凸部と、該凸部が遊嵌する下面に設けられた孔部とを有して、上下方向に積み重ね可能とされ、 前記薬剤供給者は、介護施設入居者に対応する各々の介護施設用薬剤箱に、該当の介護施設入居者の薬剤投与時に合わせて、あらかじめ薬剤をセットして収納してなり、 該当の介護施設入居者は、前記セットされた薬剤を投与時に合わせて自動的に取得できる、ことを特徴とする介護施設入居者への薬剤供給システムが開示されている。
【先行技術文献】
【特許文献】
【０００５】
【特許文献１】特開２０１０−４２１３６号公報
【発明の開示】
【発明が解決しようとする課題】
【０００６】
特許文献１に記載された薬剤供給システムによれば、薬剤供給者が、介護施設入居者に対応する各々の介護施設用薬剤箱に、該当の介護施設入居者の薬剤投与時に合わせて、あらかじめ薬剤をセットして収納して、介護施設のスタッフに渡すことによって、介護施設スタッフの作業が軽減されるというメリットがあるが、介護施設用薬剤箱に収容された薬の残量等は、個々の要介護者毎に異なるので、薬が切れてしまわないように薬の残量を管理しなければならなかった。
【０００７】
したがって、本発明の目的は、与薬作業者の労力を軽減しつつ、それぞれの与薬対象者の薬の種類や量や飲む時間帯などを間違えないようにし、かつ、薬が切れてしまわないようにした与薬管理方法及び与薬管理具を提供することにある。
【課題を解決するための手段】
【０００８】
上記目的を達成するため、本発明の１つは、複数の与薬対象者を管理する施設における与薬管理方法において、各与薬対象者毎に、少なくとも２つずつの管理ケースを用意し、各管理ケースには、１日のうちの与薬時間帯に分けて、分包化された薬を所定日数分収容する区画を設け、現在与薬をしている薬を収容した前記管理ケースを第１管理ケースとし、該第１管理ケースの薬を使い切った後に使用する薬が収容された管理ケースを第２管理ケースとしたとき、前記第１管理ケースにおける残りの薬の日数が、全ての与薬対象者において共通となるようにし、かつ、前記第１管理ケースの薬を使い切る時点で、前記第２管理ケースには、全ての与薬対象者において、所定日数分の薬が満杯状態で収容されているように、薬のストックを管理することを特徴とする与薬管理方法を提供するものである。
【０００９】
本発明の与薬管理方法によれば、第１管理ケースにおける残りの薬の日数が、全ての与薬対象者において共通となるようにしているので、第１管理ケースに収容された薬を使い切る時期や第２管理ケースの薬を使い始める時期を合わせることができ、各与薬対象者毎に薬のストック状態を管理する必要がなくなり、薬の管理が容易となる。また、第１管理ケースの薬を使い切る時点で、第２管理ケースには、全ての与薬対象者において、所定日数分の薬が満杯状態で収容されているので、気が付いたら薬が切れていたというトラブルを確実に防止できる。
【００１０】
本発明の与薬管理方法において、前記管理ケースは、外面に与薬対象者の名前が付された容器本体と、該容器本体内を複数の区画に分けるための移動可能な仕切りとを備え、前記容器本体内には、前記仕切りによって、１日のうちの与薬時間帯毎に分かれた区画が設けられており、前記各区画にはその時間帯に与薬すべき前記所定日数分の分包化された薬が収容されるように構成され、前記仕切りにはその区画に収容される薬の与薬時間帯を表す表示が付されるとともに、前記分包化された薬の包装には、前記与薬時間帯によって分けられた目印が設けられていることが好ましい。
【００１１】
この態様によれば、容器本体の外面に与薬対象者の名前が記載されており、容器本体内は与薬時間帯が表示された仕切りによって与薬時間帯毎に分かれた区画が設けられ、各区画に収容される薬の包装には与薬時間帯によって分けられた目印が設けられているので、施設における管理者は、容器本体の外面に記載された与薬対象者の名前と、それぞれの区画を仕切る仕切りに表示された与薬時間帯と、それぞれの区画に収容された薬の包装に設けられた、与薬時間帯を表す目印を頼りにして、薬を取り出して与薬対象者に薬を渡すことができるので、与薬対象者を誤ったり、与薬時間帯を誤ったりする可能性を著しく低減することができる。
【００１２】
また、本発明の与薬管理方法においては、与薬対象者が与えられた薬をこぼしたり、落としたりして紛失した際には、前記第１管理ケースから同じ薬を取り出して与え、それによって前記第１管理ケース内で不足した薬は、前記第１管理ケース内の該当する薬がなくなる前に前記第２管理ケースに収容された薬以外から補充するように管理することが好ましい。
【００１３】
この態様によれば、与薬対象者が、与えられた薬をこぼしたり、落としたりして紛失した際に、第２管理ケースから薬を取り出すのではなく、第１管理ケースから同じ薬を取り出して与え、それによって第１管理ケース内で不足した薬は、前記第１管理ケース内の該当する薬がなくなる前に前記第２管理ケースに収容された薬以外から補充するように管理することによって、第２管理ケースは、常に薬が満杯で収容された状態を維持することができるので、不用意に薬が切れてしまうことをより確実に防止することができる。
【００１４】
また、本発明のもう１つは、複数の与薬対象者を管理する施設における与薬管理具において、各与薬対象者毎に用意される少なくとも２つずつの管理ケースを備え、前記管理ケースは、現在与薬をしている薬が収容される第１管理ケースと、該第１管理ケースの薬を使い切った後に使用する薬が収容される第２管理ケースとを含み、前記各管理ケースは、外面に与薬対象者の名前が付された容器本体と、該容器本体内を複数の区画に分けるための移動可能な仕切りとを有し、前記容器本体内には、前記仕切りによって、１日のうちの与薬時間帯毎に分かれた区画が設けられており、前記各区画にはその時間帯に与薬すべき所定日数分の分包化された薬が収容されるように構成され、前記仕切りにはその区画に収容される薬の与薬時間帯を表す表示が付されるとともに、前記分包化された薬の包装には、前記与薬時間帯によって分けられた目印が設けられることを特徴とする与薬管理具を提供するものである。
【００１５】
本発明の与薬管理具によれば、現在与薬をしている薬が収容される第１管理ケースと、該第１管理ケースの薬を使い切った後に使用する薬が収容される第２管理ケースとを用いることにより、第１管理ケースにおける残りの薬の日数が、全ての与薬対象者において共通となるようにすることによって、第１管理ケースに収容された薬を使い切る時期や第２管理ケースの薬を使い始める時期を合わせることができ、各与薬対象者毎に薬のストック状態を管理する必要がなくなり、薬の管理が容易となる。また、第１管理ケースの薬を使い切る時点で、第２管理ケースには、全ての与薬対象者において、所定日数分の薬が満杯状態で収容されているようにすることによって、気が付いたら薬が切れていたというトラブルを確実に防止できる。
【００１６】
また、本発明の与薬管理具においては、前記薬の与薬時間帯を表す表示が付された仕切りの間に、該仕切りによって分けられた区画に収容する薬が倒れるのを防止する中間仕切りが、移動可能に設けられていることが好ましい。
【００１７】
この態様によれば、仕切りによって分けられた区画に収容する薬が少なくなると、薬が倒れて取出しにくくなる可能性があるが、中間仕切りを移動可能に設けることによって、薬が倒れることを抑制することができる。
【００１８】
また、本発明の与薬管理具においては、前記容器本体は、枠体と、該枠体に引き出し可能に収容されたトレイ容器とを有し、前記トレイ容器の対向する一対の内側壁には、前記仕切りを差し込む溝が引き出し方向に向けて所定間隔で形成されていることが好ましい。
【００１９】
この態様によれば、仕切りを差し込む溝を選択することによって、各与薬時間帯の区画に収容される、分包された薬の厚さに応じて、仕切りの位置を調整することができる。
【発明の効果】
【００２０】
本発明によれば、第１管理ケースにおける残りの薬の日数が、全ての与薬対象者において共通となるようにすることにより、第１管理ケースに収容された薬を使い切る時期や第２管理ケースの薬を使い始める時期を合わせることができ、各与薬対象者毎に薬のストック状態を管理する必要がなくなり、薬の管理が容易となる。また、第１管理ケースの薬を使い切る時点で、第２管理ケースには、全ての与薬対象者において、所定日数分の薬が満杯状態で収容されているようにすることにより、気が付いたら薬が切れていたというトラブルを確実に防止できる。
【図面の簡単な説明】
【００２１】
【図１】本発明の与薬管理具の一実施形態を示す斜視図である。
【図２】同与薬管理具の管理ケースを示す分解斜視図である。
【図３】同与薬管理具に用いられる薬袋の一例を示す説明図である。
【図４】同与薬管理具の管理ケースを積み重ねた状態を示す斜視図である。
【図５】同与薬管理具の管理ケースを積み重ねた状態を示す正面図である。
【図６】本発明の与薬管理具に用いられる管理ケースの他の実施形態を示す斜視図である。
【発明を実施するための最良の形態】
【００２２】
以下、図面を参照して、本発明の与薬管理具の一実施形態を説明する。
【００２３】
図１に示すように、この与薬管理具１０は、第１管理ケース１１Ａと、第２管理ケース１１Ｂと、これらの管理ケース１１Ａ、１１Ｂに収容される薬３１とを有している。第１管理ケース１１Ａと第２管理ケース１１Ｂとは、基本的に同じ構造をなしているので、以下の説明において、両者の共通構造を説明するときには、単に管理ケース１１と記載することにする。
【００２４】
図２に示すように、この実施形態の管理ケース１１は、直方体状の枠体１２と、該枠体１２に収容可能なトレイ容器１３とで構成されている。トレイ容器１３の一対の対向する内側壁には、縦方向に伸びる複数の溝１４が、トレイ容器１３の長手方向に所定間隔で配列されている。この溝１４には、複数、この実施形態の場合、４つの仕切り１５ａ〜１５ｄが、着脱可能に挿入されるようになっており、これらの仕切り１５ａ〜１５ｄによって、トレイ容器１３内に、５つの区画１６ａ〜１６ｅが形成されるようになっている。なお、仕切り１５ａ〜１５ｄの溝１４に対する挿入位置を変更して、仕切り１５ａ〜１５ｄの間隔を変えることにより、各区画１６ａ〜１６ｅの広さを変えることができる。
【００２５】
それぞれの仕切り１５ａ〜１５ｄの上部には、それぞれの区画１６ａ〜１６ｅに収容される、後述する薬３１の上方に突出するように、台形状に突出した部分が設けられ、その部分に与薬時間帯を示す表示（与薬時間帯表示）１７ａ〜１７ｄが施されている。この実施形態の場合、与薬時間帯表示１７ａ〜１７ｄは、与薬時間帯毎に色分けされた着色部と、該着色部内に記載された「朝食後」、「昼食後」、「夕食後」、「寝る前」などの表示からなっている。
【００２６】
そして、仕切り１５ａ〜１５ｄによって形成された区画１６ａには、朝食後に服用される薬３１が収容され、区画１６ｂには、昼食後に服用される薬３１が収容され、区画１６ｃには、夕食後に服用される薬３１が収容され、区画１６ｄには寝る前に服用される薬３１が収容され、背面２８に隣接して形成された区画１６ｅには、余っている分包された薬や、貼付薬などが収容されるようになっている。
【００２７】
また、この実施形態の場合、仕切り１５ａ〜１５ｄの間に位置する前記溝１４には、中間仕切り１８が挿入されるようになっている。中間仕切り１８は、薬３１が減ってきたときに、それぞれの区画１６ａ〜１６ｅ内で薬３１が倒れて取出しにくくなるのを防止するために設けられている。
【００２８】
トレイ容器１３の前面１９には、取っ手２０が設けられ、また、与薬対象者（例えば介護施設の介護者）の名前２１と、該与薬対象者の部屋番号（あるいは部屋の階数）２２とが表示されている。
【００２９】
一方、枠体１２には、トレイ容器１３が引き出し可能に収容される収容部２３が設けられている。また、天壁２４の上面には段状凸部２５が形成されており、底壁２６の下面には、段状凹部２７が形成されている。そして、図４に示すように、下方に配置された管理ケース１１（この例では第１管理ケース１１Ａ）の天壁２４の段状凸部２５を、上方に配置された管理ケース１１（この例では第２管理ケース１１Ｂ）の底壁２６の段状凹部２７に挿入することにより、複数の管理ケース１１を嵌合させて上下に積み上げることができるようになっている。図５は、複数（この実施形態では６個）の管理ケース１１を上下に積み上げ、そのような積み上げた管理ケース１１を４列並べて配置した状態が示されている。このように、管理ケース１１は、コンパクトな状態で集積配置することができる。
【００３０】
また、薬３１は、１日のうちの与薬時間帯に分けて、分包化された薬を収容するものである。図３に示すように、この薬３１の袋の上縁部には、服用時間帯に分けて色分けされた色分け部３２が設けられている。また、薬３１の袋の前面の色分け部３２の下方には、与薬対象者の氏名３３が記載され、その下方には与薬時間帯３４が記載され、その下方にはその薬の処方箋を出した病院名３５が記載され、更にその下方には薬の種類及び容量３６が記載され、最下方には服用予定日３７が記載されている。なお、病院名３５、薬の種類及び容量３６は、必ずしも必要なものではない。
【００３１】
次に、上記与薬管理具１０を用いた、本発明による与薬管理方法の一実施形態を説明する。
【００３２】
図１に示すように、この与薬管理方法では、１名の与薬対象者に対して、第１管理ケース１１Ａと、第２管理ケース１１Ｂとからなる、少なくとも２つの管理ケース１１を使用する。
【００３３】
それぞれの管理ケース１１の各区画１６ａ〜１６ｅには、１日のうちの与薬時間帯に分けて、分包化された薬３１が所定日数分ずつ収容されている。各区画１６ａ〜１６ｅに収容する薬３１の数は、適宜設定することができるが、例えば１週間分とか２週間分の薬３１を収容するように設定することができる。この実施形態では、便宜上２週間分の薬３１を収容するものとして、以下の説明を行うことにする。
【００３４】
第１管理ケース１１Ａには、現在使用している薬３１が収容されている。すなわち、第１管理ケース１１Ａには、当初２週間分の薬３１が収容されているが、与薬対象者に対して、日々与薬を行うことによって、経過日数分の薬３１が消費されて、残った薬３１が収容された状態となっている。
【００３５】
そして、本発明では、第１管理ケース１１Ａの各区画１６ａ〜１６ｅに残されている薬３１の個数が、その施設で管理する全ての与薬対象者において同じになるように管理する。ただし、余った薬３１が、背面２８に隣接して形成された区画１６ｅに予備として保管されることは妨げない。
【００３６】
一方、第２管理ケース１１Ｂには、各区画１６ａ〜１６ｅに、設定された個数、この実施形態では、２週間分の薬３１が収容されて満杯状態となっている。第２管理ケース１１Ｂへの薬３１の充填は、少なくとも、第１管理ケース１１Ａに収容された薬３１が使い終わるまでになされる必要がある。できれば、第１管理ケース１１Ａに収容された薬３１が、好ましくは３／４消費されるまで、より好ましくは半分消費されるまでには、第２管理ケース１１Ｂへの満杯状態の薬３１の充填作業が終了して、ストックされているようにする。
【００３７】
管理ケース１１のトレイ容器１３の前面には、与薬対象者の名前２１と部屋番号（あるいは部屋の階数）２２が付されており、仕切り１５ａ〜１５ｄの上部には与薬時間帯表示１７ａ〜１７ｄが付されていて、薬３１が与薬時間帯毎に分けられて、対応する区画１６ａ〜１６ｅに収容されている。しかも、各薬３１の袋にも、服用時間帯に分けて色分けされた色分け部３２と、与薬対象者の氏名３３と、与薬時間帯３４と、その薬の処方箋を出した病院名３５と、薬の種類及び容量３６と、服用予定日３７とが記載されている。このため、介護施設の介護者などの与薬作業者は、上記の様々な表示を見ながら与薬することにより、該当する時間帯の薬３１を間違いなく、該当する与薬対象者に渡すことができる。また、与薬対象者においても、服用する薬を確認することができる。
【００３８】
なお、介護者などの与薬対象者が、渡された薬３１を紛失してしまったり、薬を床等に落として飲み損ねてしまった場合には、第２管理ケース１１Ｂから薬３１をとってくることはせずに、第１管理ケース１１Ａから薬３１を補充し、それによって薬３１が不足した場合には、直ちに医師に処方箋を出してもらい、薬局などから不足した薬３１を取り寄せて補充するようにする。
【００３９】
そして、第１管理ケース１１Ａに収容された薬３１が消費されて残り少なくなったときには、前述したように、第２管理ケース１１Ｂに薬３１が満杯状態で収容されてストックされているので、第１管理ケース１１Ａの薬３１を使い終わった後は、第２管理ケース１１Ｂに移行することによって、薬を切らすことなく与薬することができる。なお、第２管理ケース１１Ｂに移行した後は、前の第２管理ケース１１Ｂが現在の第１管理ケース１１Ａとなり、空になった前の第１管理ケース１１Ｂには、新たに薬３１が満杯状態で充填されて、新たな第２管理ケース１１Ａとなる。
【００４０】
この場合、本発明では、第１管理ケース１１Ａの各区画１６ａ〜１６ｅに残されている薬３１の個数が、その施設で管理する全ての与薬対象者において同じになるように管理しているので、個々の与薬対象者毎に、薬３１の残数を確認して補充する必要がなくなり、介護施設の介護者などの与薬作業者の労力を著しく軽減することができる。
【００４１】
なお、第２管理ケース１１Ｂへの薬３１の充填作業は、介護施設の介護者などの与薬作業者が行ってもよいが、病院の医師などから処方箋を提供された、薬を供給する薬局などで第２管理ケース１１Ｂへの薬３１の充填作業を行って、介護施設へ届けるようにしてもよい。
【００４２】
図６には、本発明の与薬管理方法に用いることができる与薬管理ケースの他の実施形態が示されている。
【００４３】
この与薬管理ケース４１は、直方体状のトレイ容器４２と、該トレイ容器３２の一端にヒンジ部４３を介して開閉可能に連結された、天板を兼ねた蓋４４とを備えている。トレイ容器４２の前面４５には、爪４６が形成されており、蓋４４の自由端には、爪４６に着脱可能に係合するフック４７が形成されている。トレイ容器４２の対向する一対の内側壁には、前記実施形態と同様に、溝１４が所定間隔で形成されており、この溝１４に着脱可能に挿入される複数の仕切り１５ａ〜１５ｄが設けられ、これらの仕切り１５ａ〜１５ｄによって、時間帯毎に分けられた区画１６ａ〜１６ｅが形成されている。また、トレイ容器４２の前面４５には、前記実施形態と同様に、与薬対象者の名前２１と、部屋番号（あるいは部屋の階数）２２とが記載されている。このような与薬ケース４１を用いても、前記と同様にして、本発明の与薬管理方法を実施することができ、本発明の与薬管理方法において、与薬ケース４１の形状や構造は、特に限定されるものではない。
【符号の説明】
【００４４】
１０  与薬管理具
１１  管理ケース
１１Ａ  第１管理ケース
１１Ｂ  第２管理ケース
１２  枠体
１３  トレイ容器
１４  溝
１５ａ〜１５ｄ  仕切り
１６ａ〜１６ｅ  区画
１７ａ〜１７ｄ  与薬時間帯表示
１８  中間仕切り
１９  前面
２０  取っ手
２１  名前
２２  部屋番号（あるいは部屋の階数）
２３  収容部
２４  天壁
２５  段状凸部
２６  底壁
２７  段状凹部
２８  背面
３１  薬（分包された薬）
３２  色分け部
３３  氏名
３４  与薬時間帯
３６  薬の種類及び容量
３７  服用予定日
４１  管理ケース
４２  トレイ容器
４３  ヒンジ部
４４  蓋
４５  前面
４６  爪
４７  フック
【図１】
2018019796.tif 000003
【図２】
2018019796.tif 000004
【図３】
2018019796.tif 000005
【図４】
2018019796.tif 000006
【図５】
2018019796.tif 000007
【図６】
2018019796.tif 000008
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の与薬対象者を管理する施設における与薬方法において、
各与薬対象者毎に、少なくとも２つずつの管理ケースを用意し、
各管理ケースには、１日のうちの与薬時間帯に分けて、分包化された薬を所定日数分収容する区画を設け、
現在与薬をしている薬を収容した前記管理ケースを第１管理ケースとし、該第１管理ケースの薬を使い切った後に使用する薬が収容された管理ケースを第２管理ケースとし、
前記第１管理ケースにおける残りの薬の日数が、全ての与薬対象者において共通となるようにし、
前記第１管理ケースの薬を使い切るまでに、前記第２管理ケースには、全ての与薬対象者において、所定日数分の薬が満杯状態となるように収容しておき、
前記第１管理ケースの薬を使い切った時点で、前記第２管理ケースに交換する作業を全ての与薬対象者において同時期に行うことを特徴とする与薬方法。
【請求項２】
前記管理ケースは、外面に与薬対象者の名前が付された容器本体と、該容器本体内を複数の区画に分けるための移動可能な仕切りとを備え、前記容器本体内には、前記仕切りによって、１日のうちの与薬時間帯毎に分かれた区画が設けられており、前記各区画にはその時間帯に与薬すべき前記所定日数分の分包化された薬が収容されるように構成され、前記仕切りにはその区画に収容される薬の与薬時間帯を表す表示が付されるとともに、前記分包化された薬の包装には、前記与薬時間帯によって分けられた目印が設けられている、請求項１記載の与薬方法。
【請求項３】
与薬対象者が与えられた薬をこぼしたり、落としたりして紛失した際には、前記第１管理ケースから同じ薬を取り出して与え、それによって前記第１管理ケース内で不足した薬は、前記第１管理ケース内の該当する薬がなくなる前に前記第２管理ケースに収容された薬以外から補充する、請求項１又は２記載の与薬方法。
【請求項４】
複数の与薬対象者を管理する施設における与薬管理具において、
各与薬対象者毎に用意される少なくとも２つずつの管理ケースを備え、
前記管理ケースは、現在与薬をしている薬が収容される第１管理ケースと、該第１管理ケースの薬を使い切った後に使用する薬が収容される第２管理ケースとを含み、
前記各管理ケースは、外面に与薬対象者の名前が付された容器本体と、該容器本体内を複数の区画に分けるための移動可能な仕切りとを有し、
前記容器本体内には、前記仕切りによって、１日のうちの与薬時間帯毎に分かれた区画が設けられており、前記各区画にはその時間帯に与薬すべき所定日数分の分包化された薬が収容されるように構成され、
前記仕切りにはその区画に収容される薬の与薬時間帯を表す表示が付されるとともに、前記分包化された薬の包装には、前記与薬時間帯によって分けられた目印が設けられており、
前記第１管理ケースには、全ての与薬対象者において同じ日数の薬が収容されており、前記第２管理ケースには、全ての与薬対象者において所定日数分の薬が満杯状態で収容されていることを特徴とする与薬管理具。
【請求項５】
前記薬の与薬時間帯を表す表示が付された仕切りの間に、該仕切りによって分けられた区画に収容する薬が倒れるのを防止する中間仕切りが、移動可能に設けられている、請求項４記載の与薬管理具。
【請求項６】
前記容器本体は、枠体と、該枠体に引き出し可能に収容されたトレイ容器とを有し、前記トレイ容器の対向する一対の内側壁には、前記仕切りを差し込む溝が引き出し方向に向けて所定間隔で形成されている、請求項４又は５記載の与薬管理具。
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
複数の与薬対象者を管理する施設における与薬管理具において、
各与薬対象者毎に用意される少なくとも２つずつの管理ケースを備え、
前記管理ケースは、現在与薬をしている薬が収容される第１管理ケースと、該第１管理ケースの薬を使い切った後に使用する薬が収容される第２管理ケースとを含み、
前記各管理ケースは、外面に与薬対象者の名前が付された容器本体と、該容器本体内を複数の区画に分けるための移動可能な仕切りとを有し、
前記容器本体内には、前記仕切りによって、１日のうちの与薬時間帯毎に分かれた区画が設けられており、前記各区画にはその時間帯に与薬すべき所定日数分の分包化された薬が収容されるように構成され、
前記仕切りにはその区画に収容される薬の与薬時間帯を表す表示が付されるとともに、前記分包化された薬の包装には、前記与薬時間帯によって分けられた目印が設けられており、
前記第１管理ケースには、全ての与薬対象者において同じ日数の薬が収容されており、前記第２管理ケースには、全ての与薬対象者において所定日数分の薬が満杯状態で収容されていることを特徴とする与薬管理具。
【請求項２】
前記薬の与薬時間帯を表す表示が付された仕切りの間に、該仕切りによって分けられた区画に収容する薬が倒れるのを防止する中間仕切りが、移動可能に設けられている、請求項１記載の与薬管理具。
【請求項３】
前記容器本体は、枠体と、該枠体に引き出し可能に収容されたトレイ容器とを有し、前記トレイ容器の対向する一対の内側壁には、前記仕切りを差し込む溝が引き出し方向に向けて所定間隔で形成されている、請求項１又は２記載の与薬管理具。